(57)【要約】【課題】パッドローラ間における通信用アンテナの配置位置の自由度を高めることが可能で、かつ、構成の簡素化が可能なカード処理ユニットを提供すること。【解決手段】非接触式ＩＣカード２と通信を行うための通信用アンテナ８を備えるカード処理ユニット５は、非接触式ＩＣカード２の表面に当接して非接触式ＩＣカード２を搬送する２個の搬送ローラ１５と、搬送ローラ１５に対向配置され搬送ローラ１５に向かって付勢されるパッドローラ１６と、パッドローラ１６の軸方向の両側に突出するとともにパッドローラ１６を回転可能に支持する固定軸１７と、パッドローラ１６が搬送ローラ１５に向かう方向へパッドローラ１６の軸方向の両側で固定軸１７を付勢するコイルバネ１８とを備えている。【選択図】図２
2010020429.tif 000002
【特許請求の範囲】
【請求項１】
非接触式ＩＣカードと通信を行うための通信用アンテナを備えるカード処理ユニットにおいて、
前記非接触式ＩＣカードの表面に当接して前記非接触式ＩＣカードを搬送する２個の搬送ローラと、前記搬送ローラに対向配置され前記搬送ローラに向かって付勢されるパッドローラと、前記パッドローラの軸方向の両側に突出するとともに前記パッドローラを回転可能に支持する固定軸と、前記パッドローラが前記搬送ローラに向かう方向へ前記パッドローラの軸方向の両側で前記固定軸を付勢するコイルバネとを備えることを特徴とするカード処理ユニット。
【請求項２】
前記コイルバネは、圧縮コイルバネであることを特徴とする請求項１記載のカード処理ユニット。
【請求項３】
前記固定軸には、前記圧縮コイルバネの一端が当接する当接平面部が形成されていることを特徴とする請求項２記載のカード処理ユニット。
【請求項４】
前記非接触式ＩＣカードの厚さ方向で組み合わされて前記非接触式ＩＣカードが搬送される搬送路を形成する第１ガイドブロックおよび第２ガイドブロックを備え、
２個の前記搬送ローラは、前記第１ガイドブロックまたは前記第２ガイドブロックのいずれか一方に回転可能に支持されるとともに、前記非接触式ＩＣカードの搬送方向における前記非接触式ＩＣカードの長さよりも中心間距離が短くなるように配置され、
前記固定軸は、前記第１ガイドブロックまたは前記第２ガイドブロックのいずれか他方に保持されていることを特徴とする請求項１から３いずれかに記載のカード処理ユニット。
【請求項５】
前記搬送方向では、前記搬送ローラの一部が、前記搬送方向における前記第１ガイドブロックの端面および前記第２ガイドブロックの端面から突出していることを特徴とする請求項４記載のカード処理ユニット。
【請求項６】
前記搬送ローラは、前記搬送路の上側に配置され、前記パッドローラは、前記搬送路の下側に配置されていることを特徴とする請求項４または５記載のカード処理ユニット。
【請求項７】
非接触式ＩＣカードと通信を行うための通信用アンテナを備えるカード処理ユニットにおいて、
前記非接触式ＩＣカードの表面に当接して前記非接触式ＩＣカードを搬送する２個の搬送ローラと、前記搬送ローラに対向配置され前記搬送ローラに向かって付勢されるパッドローラと、前記パッドローラの軸方向の両側に突出するとともに前記パッドローラとともに回転する回転軸と、前記パッドローラが前記搬送ローラに向かう方向へ前記パッドローラの軸方向の両側で前記回転軸を付勢するコイルバネとを備えることを特徴とするカード処理ユニット。
【請求項８】
請求項１から７いずれかに記載のカード処理ユニットと、前記非接触式ＩＣカードが収納されるカード収納部と、前記カード収納部に収納される前記非接触式ＩＣカードを前記カード処理ユニットに向かって送り出すカード送出機構とを備えることを特徴とするカード発行装置。
【発明の詳細な説明】
【技術分野】
【０００１】
本発明は、非接触式ＩＣカードと通信を行うための通信用アンテナを有するカード処理ユニットおよびこのカード処理ユニットを備えるカード発行装置に関する。
【背景技術】
【０００２】
従来から、非接触式ＩＣカードと通信を行うための通信用アンテナを備える非接触式ＩＣカード処理装置が知られている（たとえば、特許文献１参照）。この特許文献１に記載の非接触式ＩＣカード処理装置は、非接触式ＩＣカードを搬送するための２個の搬送ローラと、この搬送ローラに対向するように配置され搬送ローラに向かって付勢される２個の押圧ローラとを備えている。
【０００３】
この非接触式ＩＣカード処理装置では、非接触式ＩＣカードの搬送路の下側に搬送ローラが配置され、搬送路の上側に押圧ローラが配置されている。また、この非接触式ＩＣカード処理装置では、搬送路側が開口する矩形の溝形状に形成された連結部材の下端側に２個の押圧ローラが回転自在に支持され、連結部材がコイルバネによって下方向に付勢されている。
【０００４】
このように、特許文献１に記載の非接触式ＩＣカード処理装置では、搬送路の上側に配置される２個の押圧ローラを支持する連結部材が、矩形の溝形状に形成されているため、搬送路の上側の２個の押圧ローラ間に通信用アンテナを配置するスペースを確保することができる。
【０００５】
【特許文献１】特開２００４−１３６３３号公報
【発明の開示】
【発明が解決しようとする課題】
【０００６】
しかしながら、特許文献１に記載の非接触式ＩＣカード処理装置では、２個の押圧ローラを連結するための連結部材が必要となるため、構成が複雑化する。また、２個の押圧ローラ間に連結部材が配置されるため、通信用アンテナの配置位置の自由度は低い。
【０００７】
そこで、本発明の課題は、パッドローラ間における通信用アンテナの配置位置の自由度を高めることが可能で、かつ、構成の簡素化が可能なカード処理ユニットおよびこのカード処理ユニットを備えるカード発行装置を提供することにある。
【課題を解決するための手段】
【０００８】
上記の課題を解決するため、本発明は、非接触式ＩＣカードと通信を行うための通信用アンテナを備えるカード処理ユニットにおいて、非接触式ＩＣカードの表面に当接して非接触式ＩＣカードを搬送する２個の搬送ローラと、搬送ローラに対向配置され搬送ローラに向かって付勢されるパッドローラと、パッドローラの軸方向の両側に突出するとともにパッドローラを回転可能に支持する固定軸と、パッドローラが搬送ローラに向かう方向へパッドローラの軸方向の両側で固定軸を付勢するコイルバネとを備えることを特徴とする。
【０００９】
本発明において、コイルバネは、たとえば、圧縮コイルバネである。
【００１０】
本発明のカード処理ユニットでは、搬送ローラに対向配置されるパッドローラが固定軸に回転可能に支持され、固定軸は、コイルバネによって、パッドローラが搬送ローラに向かう方向へ付勢されている。そのため、パッドローラを支持するための部材およびパッドローラを付勢するための部材が２個のパッドローラ間に配置されないように、カード処理ユニットを構成することが可能になる。たとえば、コイルバネが圧縮コイルバネである場合には、パッドローラを支持するための部材およびパッドローラを付勢するための部材が２個のパッドローラ間に配置されない。したがって、２個のパッドローラ間に広いスペースを確保することが可能になり、２個のパッドローラ間における通信用アンテナの配置位置の自由度を高めることが可能になる。また、固定軸とコイルバネとを用いた簡易な構成で、パッドローラの支持と付勢とが可能になるため、カード処理ユニットの構成を簡素化することができる。
【００１１】
本発明において、固定軸には、圧縮コイルバネの一端が当接する当接平面部が形成されていることが好ましい。このように構成すると、圧縮コイルバネの一端を固定軸に確実に当接させることが可能になる。したがって、パッドローラを搬送ローラに向けて適切に付勢することができる。
【００１２】
本発明において、カード処理ユニットは、非接触式ＩＣカードの厚さ方向で組み合わされて非接触式ＩＣカードが搬送される搬送路を形成する第１ガイドブロックおよび第２ガイドブロックを備え、２個の搬送ローラは、第１ガイドブロックまたは第２ガイドブロックのいずれか一方に回転可能に支持されるとともに、非接触式ＩＣカードの搬送方向における非接触式ＩＣカードの長さよりも中心間距離が短くなるように配置され、固定軸は、第１ガイドブロックまたは第２ガイドブロックのいずれか他方に保持されていることが好ましい。このように構成すると、カードの搬送機能を有する１つのモジュールとしてカード処理ユニットを扱うことができる。したがって、他の機能を備えるカード処理用の様々なユニットと組み合わせて、カード処理ユニットを使用することが可能になり、カード処理ユニットの汎用性を高めることができる。
【００１３】
本発明において、搬送方向では、搬送ローラの一部が、搬送方向における第１ガイドブロックの端面および第２ガイドブロックの端面から突出していることが好ましい。すなわち、搬送方向における第１ガイドブロックの端面および第２ガイドブロックの端面の近傍に搬送ローラの中心が配置されていることが好ましい。このように構成すると、搬送方向におけるカード処理ユニットの前後に、他の機能を備えるカード処理用のユニットが配置される場合に、この他のユニットとカード処理ユニットとの間で、非接触式ＩＣカードを円滑にやりとりすることができる。
【００１４】
本発明において、たとえば、搬送ローラは、搬送路の上側に配置され、パッドローラは、搬送路の下側に配置されている。この場合には、搬送路の上方の構成を簡素化することが可能になる。
【００１５】
また、上記の課題を解決するため、本発明は、非接触式ＩＣカードと通信を行うための通信用アンテナを備えるカード処理ユニットにおいて、非接触式ＩＣカードの表面に当接して非接触式ＩＣカードを搬送する２個の搬送ローラと、搬送ローラに対向配置され搬送ローラに向かって付勢されるパッドローラと、パッドローラの軸方向の両側に突出するとともにパッドローラとともに回転する回転軸と、パッドローラが搬送ローラに向かう方向へパッドローラの軸方向の両側で回転軸を付勢するコイルバネとを備えることを特徴とする。
【００１６】
本発明のカード処理ユニットでは、搬送ローラに対向配置されるパッドローラが回転軸に支持され、回転軸は、コイルバネによって、パッドローラが搬送ローラに向かう方向へ付勢されている。そのため、パッドローラを支持するための部材およびパッドローラを付勢するための部材が２個のパッドローラ間に配置されないように、カード処理ユニットを構成することが可能になる。したがって、２個のパッドローラ間に広いスペースを確保することが可能になり、２個のパッドローラ間における通信用アンテナの配置位置の自由度を高めることが可能になる。また、回転軸とコイルバネとを用いた簡易な構成で、パッドローラの支持と付勢とが可能になるため、カード処理ユニットの構成を簡素化することができる。
【００１７】
本発明のカード処理ユニットは、非接触式ＩＣカードが収納されるカード収納部と、カード収納部に収納される非接触式ＩＣカードをカード処理ユニットに向かって送り出すカード送出機構とを備えるカード発行装置に用いることができる。このように構成されたカード発行装置では、２個のパッドローラ間における通信用アンテナの配置位置の自由度を高めることが可能になる。また、カード処理ユニットの構成を簡素化することができるため、カード発行装置の構成を簡素化することができる。
【発明の効果】
【００１８】
以上のように、本発明のカード処理ユニットおよびカード発行装置では、パッドローラ間における通信用アンテナの配置位置の自由度を高めることが可能になり、また、構成を簡素化することが可能になる。
【発明を実施するための最良の形態】
【００１９】
以下、本発明の実施の形態を図面に基づいて説明する。
【００２０】
（カード発行装置の概略構成）
図１は、本発明の実施の形態にかかるカード発行装置１の概略構成を側面から説明するための図である。
【００２１】
本形態のカード発行装置１は、内部に収納されたカード２を発行する機能と、不要、使用済みあるいはエラーとなったカード２（以下、「不要なカード２」とする。）を回収する機能とを備えている。このカード発行装置１は、図１に示すように、カード２が挿入、排出されるカード挿入排出ユニット４と、カード２に記録された情報の再生および／またはカード２への情報の記録を行うカード処理ユニット５と、収納されたカード２を発行するとともに不要なカード２を回収するカード発行回収ユニット６とを備えている。本形態では、カード挿入排出ユニット４、カード処理ユニット５およびカード発行回収ユニット６が、図１の右側からこの順番で互いに接するように配置されている。
【００２２】
カード２は、たとえば、厚さが０．７〜０．８ｍｍ程度の矩形状の塩化ビニール製のカードである。このカード２には、通信用のアンテナが内蔵されている。すなわち、本形態のカード２は非接触式ＩＣカードである。なお、カード２の表面に、磁気情報が記録される磁気ストライプや感熱方式によって印字が行われる印字部が形成されても良いし、ＩＣチップが固定されても良い。また、通信用のアンテナを内蔵することができるのであれば、カード２は、厚さが０．１８〜０．３６ｍｍ程度のＰＥＴ（ポリエチレンテレフタレート）カードや、所定の厚さの紙カード等であっても良い。
【００２３】
カード挿入排出ユニット４には、カード２を挿入、排出するための挿入排出口４ａが形成されている。また、カード挿入排出ユニット４の内部には、たとえば、挿入されるカード２を検出するためのセンサや、挿入排出口を閉鎖および開放するシャッター部材等が配置されている。
【００２４】
カード処理ユニット５は、カード２に内蔵されたアンテナと通信を行って、カード２に記録された情報の再生や、カード２へ情報の記録を行うための通信用アンテナ８を備えている。このカード処理ユニット５の詳細な構成については後述する。
【００２５】
カード発行回収ユニット６は、発行前の複数のカード２が積層されて収納されるカード収納部１０と、不要なカード２を回収するカード回収庫１１とを備えている。図１に示すように、カード収納部１０とカード回収庫１１とは、上下方向で重なるように配置されている。また、カード発行回収ユニット６は、カード収納部１０とカード回収庫１１との間に、カード収納部１０に収納された複数のカード２の中で一番下に収納されているカード２をカード処理ユニット５に向かって送り出すカード送出機構（図示省略）を備えている。
【００２６】
カード収納部１０は、上面が開口する直方体の箱状に形成されている。カード送出機構は、カード収納部１０に収納されたカード２に係合してカード収納部１０からカード２を１枚ずつ送り出す送出爪、この送出爪が固定されるチェーンおよびこのチェーンの駆動機構等を備えている。カード回収庫１１は、上面が開口する直方体の箱状に形成されている。カード回収庫１１の入口には、不要なカード２をカード回収庫１１へ案内するためのガイド部材が配置されている。
【００２７】
本形態では、カード２の発行時には、まず、カード送出機構がカード収納部１０に収納されたカード２をカード処理ユニット５に向かって送り出す。カード収納部１０から送り出されたカード２を受け取ったカード処理ユニット５では、カード２に内蔵されたアンテナと通信用アンテナ８とが通信を行ってカード２に所定の情報を記録する。情報が記録されたカード２は、カード挿入排出ユニット４から排出される。
【００２８】
また、たとえば、カード挿入排出ユニット４から挿入されて、カード処理ユニット５で情報の再生が行われた結果、回収が必要であると判断されたカード２は、カード処理ユニット５からカード発行回収ユニット６に向かって排出される。カード処理ユニット５から排出されるカード２は、ガイド部材によってカード回収庫１１へ案内されて回収される。
【００２９】
（カード処理ユニットの構成）
図２は、図１に示すカード処理ユニット５の概略構成を側面から説明するための図である。図３は、図２のＥ−Ｅ方向からカード処理ユニット５を示す図である。図４は、図２のＥ−Ｅ方向から搬送ローラ１５およびパッドローラ１６の周辺部分の構成を示す図である。図５は、図２に示す圧縮コイルバネ１８の保持機構を説明するための図である。
【００３０】
カード処理ユニット５は、上述の通信用アンテナ８に加え、カード２の表面に当接してカード２を搬送する２個の搬送ローラ１５と、搬送ローラ１５に対向配置され搬送ローラ１５に向かって付勢されるパッドローラ１６と、パッドローラ１６を回転可能に支持する固定軸１７と、固定軸１７を付勢するコイルバネとしての圧縮コイルバネ１８とを備えている。また、カード処理ユニット５は、カード処理ユニット５の本体部を構成する第１ガイドブロック２０および第２ガイドブロック２１と、圧縮コイルバネ１８を保持するバネ保持板２２とを備えている。さらに、本形態のカード処理ユニット５は、通信用アンテナ８と信号のやりとりを行う制御回路が実装された制御基板（図示省略）を備えている。
【００３１】
本形態では、図２、図３に示すＸ方向にカード２が搬送される。すなわち、Ｘ方向は、カード２の搬送方向である。また、Ｙ方向は、カード２の幅方向（短手幅方向）であり、Ｚ方向は、カード２の厚さ方向である。また、Ｙ方向は、搬送ローラ１５およびパッドローラ１６の軸方向でもある。なお、以下の説明では、図２、図３のＸ１方向側を「右」、Ｘ２方向側を「左」、Ｙ１方向側を「前」、Ｙ２方向側を「後（後ろ）」、Ｚ１方向側を「上」、Ｚ２方向側を「下」とする。
【００３２】
第１ガイドブロック２０と第２ガイドブロック２１とは、上下方向（すなわち、カード２の厚さ方向）で組み合わされて互いに固定されている。本形態では、第１ガイドブロック２０が上側に配置され、第２ガイドブロック２１が下側に配置されている。第１ガイドブロック２０と第２ガイドブロック２１との間には、カード２が搬送される搬送路２３が形成されている。この搬送路２３は、カード処理ユニット５の右端から左端に亘って、左右方向に直線状に形成されている。
【００３３】
搬送ローラ１５は、図３に示すように、回転軸２５に固定されている。回転軸２５は、第１ガイドブロック２０に回転可能に支持されており、搬送ローラ１５は、搬送路２３の上側に配置されている。回転軸２５の一端部には、カード処理ユニット５の下方に配置されるモータ２６（図１参照）からの動力を搬送ローラ１５に伝達するためのプーリ２７が固定されている。また、回転軸２５の他端には、ノブ２８が固定されている。そのため、たとえば、カード２がカード処理ユニット５内で詰まった場合（ジャムした場合）であっても、ユーザは、手動でノブ２８を回転させることで、搬送ローラ１５を回転させて、カード処理ユニット５内からカード２を搬出することができるようになっている。なお、搬送ローラ１５の下端側は、図２に示すように、搬送路２３内に突出している。
【００３４】
２個の搬送ローラ１５は、左右方向に所定の間隔をあけた状態で配置されている。本形態では、図２に示すように、Ｘ方向（搬送方向）におけるカード２の長さよりも２個の搬送ローラ１５の中心間距離が短くなるように、２個の搬送ローラ１５が配置されている。具体的には、２個の搬送ローラ１５の中心間距離がカード２の長さよりも若干短くなるように、２個の搬送ローラ１５が配置されている。
【００３５】
パッドローラ１６は、搬送路２３の下側に配置され、下側から搬送ローラ１５に対向している。すなわち、２個のパッドローラ１６の中心間距離がカード２の長さよりも若干短くなるように、２個のパッドローラ１６も配置されている。
【００３６】
第１ガイドブロック２０および第２ガイドブロック２１は、樹脂等の非磁性部材で形成されている。本形態では、図２に示すように、第１ガイドブロック２０の左右方向の長さと、第２ガイドブロック２１の左右方向の長さとがほぼ等しくなっている。また、第１ガイドブロック２０および第２ガイドブロック２１の左右方向の長さは、カード２の左右方向の長さよりも若干長くなっている。
【００３７】
また、図２に示すように、左側に配置される搬送ローラ１５の左端側の一部およびパッドローラ１６の左端側の一部は、第１ガイドブロック２０の左端面２０ａおよび第２ガイドブロック２１の左端面２１ａから突出している。図３に示すように、第１ガイドブロック２０の左端面２０ａには、搬送ローラ１５を配置するための開口部２０ｂが形成され、第２ガイドブロック２１の左端面２１ａには、パッドローラ１６を配置するための開口部２１ｂが形成されている。
【００３８】
本形態では、搬送ローラ１５およびパッドローラ１６は、図３に示すように、Ｙ方向のほぼ中央位置に配置されている。そのため、カード２にエンボスが形成されている場合や磁気ストライプが形成されている場合であっても、エンボスや磁気ストライプと、搬送ローラ１５およびパッドローラ１６との接触を防止することができるようになっている。また、カード２の幅方向の中心部が搬送ローラ１５とパッドローラ１６とによって挟持されるため、カード２を搬送方向へまっすぐ搬送することが可能になっている。
【００３９】
同様に、右側に配置される搬送ローラ１５の右端側の一部およびパッドローラ１６の右端側の一部は、第１ガイドブロック２０の右端面２０ｃおよび第２ガイドブロック２１の右端面２１ｃから突出している。第１ガイドブロック２０の右端面２０ｃには、搬送ローラ１５を配置するための開口部（図示省略）が形成され、第２ガイドブロック２１の右端面２１ｃには、パッドローラ１６を配置するための開口部（図示省略）が形成されている。
【００４０】
固定軸１７は、細長い略円柱状に形成されている。図４に示すように、軸方向（Ｙ方向）における固定軸１７の略中心位置で、パッドローラ１６が回転可能に保持されている。すなわち、固定軸１７は、パッドローラ１６の軸方向の両側に突出している。固定軸１７の、軸方向におけるパッドローラ１６の両側には、圧縮コイルバネ１８の上端が当接する平面状の当接平面部１７ａが形成されている。また、固定軸１７の両端側は、第２ガイドブロック２１に形成される軸保持溝２１ｄ（図２参照）の中に配置されている。この軸保持溝２１ｄは、Ｙ方向とＺ方向とから形成されるＹＺ平面と平行な２枚の平面部２１ｅを備えており、固定軸１７を保持する保持機能と、固定軸１７を上下方向に案内するガイド機能とを果たしている。
【００４１】
圧縮コイルバネ１８は、軸方向におけるパッドローラ１６の両側に１個ずつ配置されている。この圧縮コイルバネ１８には、図５に示すように、バネ保持板２２に固定されたバネ挿通軸２９が挿通されている。バネ保持板２２は、第２ガイドブロック２１の下端側に固定されている。圧縮コイルバネ１８の上端は、固定軸１７の当接平面部１７ａに当接し、圧縮コイルバネ１８の下端は、バネ保持板２２の上面に当接しており、２個の圧縮コイルバネ１８は、固定軸１７を上方向（カード２の厚さ方向）へ付勢している。すなわち、圧縮コイルバネ１８は、パッドローラ１６が搬送ローラ１５に向かう方向へ固定軸１７を介してパッドローラ１６を付勢している。
【００４２】
なお、本形態では、圧縮コイル１８が軸方向におけるパッドローラ１６の両側に１個ずつ配置されているため、たとえば、カード２の幅方向（短手幅方向）に曲がったカード２（すなわち、曲がりカード）が挿入された場合でも、カード２の曲がりにパッドローラ１６を追従させることができるようになっている。したがって、パッドローラ１６とカード２との接触面を確保することができ、カード２を確実に搬送することができるようになっている。
【００４３】
通信用アンテナ８は、カード２の仕様に応じて、第１ガイドブロック２０の、２個の搬送ローラ１５間に形成されるアンテナ配置部２０ｆ、あるいは、第２ガイドブロック２１の、２個のパッドローラ１６間に形成されるアンテナ配置部２１ｆに配置される。なお、アンテナ配置部２０ｆ、２１ｆの両方に通信用アンテナ８が配置されても良い。
【００４４】
また、カード処理ユニット５は、カード２の有無を検出するための複数のセンサ３１を備えている。本形態のカード処理ユニット５は、４個のセンサ３１を備えている。このセンサ３１は、たとえば、搬送路２３を挟んで上下方向に対向配置される受光素子と発光素子とから構成されている。また、４個のセンサ３１のそれぞれは、図２に示すように、左右方向では、搬送ローラ１５およびパッドローラ１６の配置位置と、左側に配置される搬送ローラ１５およびパッドローラ１６の右側と、右側に配置される搬送ローラ１５およびパッドローラ１６の左側とに配置されている。
【００４５】
（本形態の主な効果）
以上説明したように、本形態では、パッドローラ１６を支持する固定軸１７が圧縮コイルバネ１８によって上方向（カード２の厚さ方向）へ付勢されている。すなわち、パッドローラ１６を支持するための部材およびパッドローラ１６を付勢するための部材が２個のパッドローラ１６間に配置されていない。そのため、２個のパッドローラ１６間に広いスペースを確保することができ、２個のパッドローラ１６間に形成される通信用アンテナ８用のアンテナ配置部２１ｆの配置位置の自由度を高めることが可能になる。すなわち、２個のパッドローラ１６間における通信用アンテナ８の配置位置の自由度を高めることが可能になる。また、本形態では、固定軸１７と圧縮コイルバネ１８とを用いた簡易な構成で、パッドローラ１６の支持と付勢とを行っているため、カード処理ユニット５の構成を簡素化することができる。
【００４６】
本形態では、圧縮コイルバネ１８の上端が当接する当接平面部１７ａが固定軸１７に形成されている。そのため、圧縮コイルバネ１８の上端を固定軸１７に確実に当接させることができ、パッドローラ１６を搬送ローラ１５に向けて適切に付勢することができる。
【００４７】
本形態では、２個の搬送ローラ１５は、回転軸２５を介して第１ガイドブロック２０に回転可能に支持されるとともに、カード２の長さよりもその中心間距離が短くなるように配置されている。また、固定軸１７は、第２ガイドブロック２１に保持されている。そのため、カード２の搬送機能を有する１つのモジュールとしてカード処理ユニット５を扱うことができる。したがって、他の機能を備える様々なユニットと組み合わせて、カード処理ユニット５を使用することができ、カード処理ユニット５の汎用性を高めることができる。たとえば、本形態のように、搬送方向におけるカード処理ユニット５の前後に、カード挿入排出ユニット４やカード発行回収ユニット６を配置するだけで、カード２の発行、回収機能を有するカード発行装置１を構成することができる。
【００４８】
本形態では、左側に配置される搬送ローラ１５の左端側の一部およびパッドローラ１６の左端側の一部が、第１ガイドブロック２０の左端面２０ａおよび第２ガイドブロック２１の左端面２１ａから突出している。また、右側に配置される搬送ローラ１５の右端側の一部およびパッドローラ１６の右端側の一部が、第１ガイドブロック２０の右端面２０ｃおよび第２ガイドブロック２１の右端面２１ｃから突出している。すなわち、左側に配置される搬送ローラ１５およびパッドローラ１６の中心が左端面２０ａ、２１ａの近傍に配置され、右側に配置される搬送ローラ１５およびパッドローラ１６の中心が右端面２０ｃ、２１ｃの近傍に配置されている。そのため、カード挿入排出ユニット４あるいはカード発行回収ユニット６との間でカード２の受け渡しを円滑に行うことができる。
【００４９】
（他の実施の形態）
上述した形態は、本発明の好適な形態の一例ではあるが、これに限定されるものではなく本発明の要旨を変更しない範囲において種々変形実施が可能である。
【００５０】
上述した形態では、カード処理ユニット５の左右に、カード挿入排出ユニット４やカード発行回収ユニット６が配置されている。この他にもたとえば、カード処理ユニット５の左右に、磁気ヘッドやＩＣ接点を有する別のカード処理ユニットまたはカード２の表面に印字を行うプリンタユニットあるいはカード２の表面の印字等を読み取るイメージセンサユニット等を配置しても良い。また、カード処理ユニット５の左右に、カード２の搬送方向を切り替える切替ユニットやカード２の搬送のみを行う搬送ユニットを配置しても良い。
【００５１】
上述した形態では、搬送ローラ１５が搬送路２３の上側に配置され、パッドローラ１６が搬送路２３の下側に配置されているが、搬送ローラ１５が搬送路２３の下側に配置され、パッドローラ１６が搬送路２３の上側に配置されても良い。
【００５２】
上述した形態では、固定軸１７は、圧縮コイルバネ１８によってカード２の厚さ方向に付勢されている。この他にもたとえば、固定軸１７は、引張りコイルバネによってカード２の厚さ方向に付勢されても良い。すなわち、引張りコイルバネによって固定軸１７が上方向へ引き上げられても良い。また、固定軸１７は、ネジリコイルバネによってカード２の厚さ方向に付勢されても良い。なお、ゴム等の弾性部材によって、固定軸１７をカード２の厚さ方向へ付勢することも可能である。
【００５３】
上述した形態では、パッドローラ１６は、固定軸１７に回転可能に支持されている。この他にもたとえば、パッドローラ１６は、パッドローラ１６の軸方向の両側に突出するとともにパッドローラ１６とともに回転する回転軸に固定されても良い。この場合には、たとえば、パッドローラ１６の軸方向の両側で回転軸を支持する軸受が、圧縮コイルバネ１８によってカード２の厚さ方向に付勢されれば良い。
【図面の簡単な説明】
【００５４】
【図１】本発明の実施の形態にかかるカード発行装置の概略構成を側面から説明するための図である。
【図２】図１に示すカード処理ユニットの概略構成を側面から説明するための図である。
【図３】図２のＥ−Ｅ方向からカード処理ユニットを示す図である。
【図４】図２のＥ−Ｅ方向から搬送ローラおよびパッドローラの周辺部分の構成を示す図である。
【図５】図２に示す圧縮コイルバネの保持機構を説明するための図である。
【符号の説明】
【００５５】
１  カード発行装置
２  カード（非接触式ＩＣカード）
５  カード処理ユニット
８  通信用アンテナ
１０  カード収納部
１５  搬送ローラ
１６  パッドローラ
１７  固定軸
１７ａ  当接平面部
１８  圧縮コイルバネ（コイルバネ）
２０  第１ガイドブロック
２０ａ  左端面（端面）
２０ｃ  右端面（端面）
２１  第２ガイドブロック
２１ａ  左端面（端面）
２１ｃ  右端面（端面）
２３  搬送路
Ｘ  搬送方向
Ｙ  軸方向
Ｚ  厚さ方向
【図１】
2010020429.tif 000003
【図２】
2010020429.tif 000004
【図３】
2010020429.tif 000005
【図４】
2010020429.tif 000006
【図５】
2010020429.tif 000007